(57)【要約】【課題】本発明は小分けボトル消毒設備を開示した。【解決手段】消毒箱を含み、ノブを回転させ、伸び板の高度位置を調整し、ウォーターポンプが始動し、水吸出し管により水箱から水を吸出し、ボトル胴部を固定チャンバの中に固定し、回転機構が動力を提供しボトル胴部を回転連動させ、刷毛がボトル胴部の内壁を洗い、ボトル胴部の中がきれいに洗浄されることを保証し、濾過機構フィルターが洗浄後の廃水を濾過し、汚染物の直接排出量を減少し、電熱線がボトル胴部とボトル頭部とを乾燥させ、紫外線ライトが消毒する。【選択図】図１
2020179385.tif 000002
【特許請求の範囲】
【請求項１】
正面視で、消毒箱を含み、前記消毒箱の中には洗浄チャンバが設けられ、前記洗浄チャンバの中にはボトル胴部とボトル頭部とが設けられ、前記洗浄チャンバの中には前記ボトル胴部と前記ボトル頭部とを洗浄する洗浄機構も設けられ、前記洗浄機構の下方には前記ボトル胴部を回転連動させる回転機構が設けられ、前記回転機構の中には廃水チャンバが設けられ、前記廃水チャンバの底壁には固定台が固定的に取り付けられ、前記固定台の頂壁の中にはモーターが固定的に取り付けられ、前記回転機構の左右両側には濾過機構が設けられ、前記濾過機構は濾過箱を含み、前記濾過箱の中には濾過チャンバが設けられ、前記洗浄機構の上方には乾燥消毒機構が設けられ、前記乾燥消毒機構の中には消毒ブロックと乾燥チャンバとが設けられ、前記消毒ブロックの中には消毒チャンバが設けられ、前記乾燥チャンバの中には電熱線が設けられることを特徴とする小分けボトル消毒設備。
【請求項２】
前記洗浄機構は前記洗浄チャンバの頂壁に固定的に取り付けられた固定板を含み、前記洗浄チャンバの頂壁のうち前記固定板の右側に位置するところには移動ブロックが固定的に取り付けられ、前記固定板と前記移動ブロックとの間にはスライドブロックがスライドできるように取り付けられ、前記スライドブロックの中には上方に開口したスライドチャンバが設けられ、前記スライドチャンバの中には位置制限ブロックがスライドできるように取り付けられ、前記位置制限ブロックの頂部端面と前記洗浄チャンバの頂壁とが固定的に連結され、前記位置制限ブロックの底部端面と前記スライドチャンバの底壁との間には第一バネが固定的に取り付けられ、前記移動ブロックの中にはねじ山チャンバが設けられ、前記ねじ山チャンバの底壁の中には前記消毒箱の頂部端面を貫通しているねじロッドが回転できるように取り付けられ、前記ねじロッドの頂部端面にはノブが固定的に取り付けられ、前記ねじロッドにはねじ山ブロックがねじ山によって取り付けられ、前記ねじ山ブロックと前記スライドブロックとが固定的に連結され、前記消毒箱の頂部端面には水箱が固定的に取り付けられ、前記水箱の右側にはウォーターポンプが設けられ、前記ウォーターポンプと前記水箱との間には水吸出し管が固定的に連結され、前記ウォーターポンプの右側端面には送水管が固定的に取り付けられ、前記位置制限ブロックの中には前記消毒箱の頂部端面を貫通している流入孔が設けられ、前記送水管と前記流入孔とが連結され、前記送水管には前記洗浄チャンバの頂壁を貫通している連結管が固定的に取り付けられ、前記連結管の底部端面には第一ノズルが固定的に取り付けられ、前記スライドブロックの底部端面には伸び板が固定的に取り付けられ、前記伸び板の底部端面には第二ノズルが固定的に取り付けられ、前記伸び板には刷毛が固定的に取り付けられ、前記ボトル胴部の中には上方に開口したボトルチャンバが設けられ、前記スライドチャンバの底壁と前記第二ノズルとの間には流出孔が設けられ、前記洗浄チャンバの前側内壁の中にはドアがヒンジによって取り付けられ、前記ドアの前側端面には引きブロックが固定的に取り付けられることを特徴とする請求項１に記載の小分けボトル消毒設備。
【請求項３】
前記回転機構は前記モーターの上向きの出力軸の頂部端面に固定的に取り付けられたモーターロッドを含み、前記モーターロッドの頂部端面には回転盤が固定的に取り付けられ、前記回転盤が前記消毒箱の中に回転できるように取り付けられ、前記回転盤の左右両側には抜き穴が設けられ、前記回転盤の中には上方に開口した固定チャンバが設けられ、前記固定チャンバの中には引っ掛かり溝が左右に対称的に設けられ、前記引っ掛かり溝の中には引っ掛かりブロックがスライドできるように取り付けられ、前記引っ掛かりブロックと前記引っ掛かり溝との間には第二バネが固定的に取り付けられることを特徴とする請求項１に記載の小分けボトル消毒設備。
【請求項４】
前記濾過機構は前記濾過チャンバの中に固定的に取り付けられたフィルターを含み、前記濾過箱が前記固定台の左右両側に固定的に取り付けられ、前記濾過チャンバと前記廃水チャンバとの間には入口が設けられ、前記廃水チャンバの中には排出孔が左右に対称的に設けられ、前記濾過チャンバと前記排出孔との間には出口が設けられることを特徴とする請求項１に記載の小分けボトル消毒設備。
【請求項５】
前記乾燥消毒機構は前記消毒チャンバの中に固定的に取り付けられた紫外線ライトを含み、前記消毒ブロックが前記洗浄チャンバの右側内壁に固定的に取り付けられ、前記乾燥チャンバが前記洗浄チャンバの頂壁の中に設けられ、前記電熱線が前記乾燥チャンバの中に固定的に取り付けられ、前記乾燥チャンバの底壁には伝熱板が固定的に取り付けられることを特徴とする請求項１に記載の小分けボトル消毒設備。
【発明の詳細な説明】
【技術分野】
【０００１】
本発明は小型消毒器技術分野を取り上げて、具体的には小分けボトル消毒設備である。
【背景技術】
【０００２】
小分けボトルの使用前の清潔を保証するため、使用後の小分けボトルを洗浄し消毒し、現有技術の中、一般的な小分けボトル消毒設備は洗浄する時、小分けボトルの中を洗っていなく、小分けボトルの中がきれいに洗浄されることを保証できなく、また乾燥機能が付いていなく、小分けボトルを消毒する時に細菌を完全に殺すことができなく、洗浄の時、洗浄後の水を処理していなく、環境を汚染し、従って、小分けボトルの中を洗い、また洗浄後の水を処理し、小分けボトルを乾燥させてから細菌を殺す小分けボトル消毒設備が必要とされる。
【先行技術文献】
【特許文献】
【０００３】
【特許文献１】中国特許出願公開第105665392号明細書
【発明の概要】
【発明が解決しようとする課題】
【０００４】
本発明の目的は小分けボトル消毒設備を提供し、それは上記の現在の技術中の問題を解決できる。
【課題を解決するための手段】
【０００５】
消毒箱を含み、前記消毒箱の中には洗浄チャンバが設けられ、前記洗浄チャンバの中にはボトル胴部とボトル頭部とが設けられ、前記洗浄チャンバの中には前記ボトル胴部と前記ボトル頭部とを洗浄する洗浄機構も設けられ、前記洗浄機構の下方には前記ボトル胴部を回転連動させる回転機構が設けられ、前記回転機構の中には廃水チャンバが設けられ、前記廃水チャンバの底壁には固定台が固定的に取り付けられ、前記固定台の頂壁の中にはモーターが固定的に取り付けられ、前記回転機構の左右両側には濾過機構が設けられ、前記濾過機構は濾過箱を含み、前記濾過箱の中には濾過チャンバが設けられ、前記洗浄機構の上方には乾燥消毒機構が設けられ、前記乾燥消毒機構の中には消毒ブロックと乾燥チャンバとが設けられ、前記消毒ブロックの中には消毒チャンバが設けられ、前記乾燥チャンバの中には電熱線が設けられる。
【０００６】
更の技術プラン、前記洗浄機構は前記洗浄チャンバの頂壁に固定的に取り付けられた固定板を含み、前記洗浄チャンバの頂壁のうち前記固定板の右側に位置するところには移動ブロックが固定的に取り付けられ、前記固定板と前記移動ブロックとの間にはスライドブロックがスライドできるように取り付けられ、前記スライドブロックの中には上方に開口したスライドチャンバが設けられ、前記スライドチャンバの中には位置制限ブロックがスライドできるように取り付けられ、前記位置制限ブロックの頂部端面と前記洗浄チャンバの頂壁とが固定的に連結され、前記位置制限ブロックの底部端面と前記スライドチャンバの底壁との間には第一バネが固定的に取り付けられ、前記移動ブロックの中にはねじ山チャンバが設けられ、前記ねじ山チャンバの底壁の中には前記消毒箱の頂部端面を貫通しているねじロッドが回転できるように取り付けられ、前記ねじロッドの頂部端面にはノブが固定的に取り付けられ、前記ねじロッドにはねじ山ブロックがねじ山によって取り付けられ、前記ねじ山ブロックと前記スライドブロックとが固定的に連結され、前記消毒箱の頂部端面には水箱が固定的に取り付けられ、前記水箱の右側にはウォーターポンプが設けられ、前記ウォーターポンプと前記水箱との間には水吸出し管が固定的に連結され、前記ウォーターポンプの右側端面には送水管が固定的に取り付けられ、前記位置制限ブロックの中には前記消毒箱の頂部端面を貫通している流入孔が設けられ、前記送水管と前記流入孔とが連結され、前記送水管には前記洗浄チャンバの頂壁を貫通している連結管が固定的に取り付けられ、前記連結管の底部端面には第一ノズルが固定的に取り付けられ、前記スライドブロックの底部端面には伸び板が固定的に取り付けられ、前記伸び板の底部端面には第二ノズルが固定的に取り付けられ、前記伸び板には刷毛が固定的に取り付けられ、前記ボトル胴部の中には上方に開口したボトルチャンバが設けられ、前記スライドチャンバの底壁と前記第二ノズルとの間には流出孔が設けられ、前記洗浄チャンバの前側内壁の中にはドアがヒンジによって取り付けられ、前記ドアの前側端面には引きブロックが固定的に取り付けられる。
【０００７】
更の技術プラン、前記回転機構は前記モーターの上向きの出力軸の頂部端面に固定的に取り付けられたモーターロッドを含み、前記モーターロッドの頂部端面には回転盤が固定的に取り付けられ、前記回転盤が前記消毒箱の中に回転できるように取り付けられ、前記回転盤の左右両側には抜き穴が設けられ、前記回転盤の中には上方に開口した固定チャンバが設けられ、前記固定チャンバの中には引っ掛かり溝が左右に対称的に設けられ、前記引っ掛かり溝の中には引っ掛かりブロックがスライドできるように取り付けられ、前記引っ掛かりブロックと前記引っ掛かり溝との間には第二バネが固定的に取り付けられる。
【０００８】
更の技術プラン、前記濾過機構は前記濾過チャンバの中に固定的に取り付けられたフィルターを含み、前記濾過箱が前記固定台の左右両側に固定的に取り付けられ、前記濾過チャンバと前記廃水チャンバとの間には入口が設けられ、前記廃水チャンバの中には排出孔が左右に対称的に設けられ、前記濾過チャンバと前記排出孔との間には出口が設けられる。
【０００９】
更の技術プラン、前記乾燥消毒機構は前記消毒チャンバの中に固定的に取り付けられた紫外線ライトを含み、前記消毒ブロックが前記洗浄チャンバの右側内壁に固定的に取り付けられ、前記乾燥チャンバが前記洗浄チャンバの頂壁の中に設けられ、前記電熱線が前記乾燥チャンバの中に固定的に取り付けられ、前記乾燥チャンバの底壁には伝熱板が固定的に取り付けられる。
【発明の効果】
【００１０】
本発明は構造が簡単で、操作が便利であり、引きブロックを引き動かしてドアを開け、ボトル胴部を固定チャンバの中に固定し、回転機構が動力を提供しボトル胴部を回転連動させ、刷毛がボトル胴部の内壁を洗い、ボトル胴部の中がきれいに洗浄されることを保証し、濾過機構フィルターが洗浄後の廃水を濾過し、汚染物の直接排出量を減少し、環境への汚染を減少し、電熱線がボトル胴部とボトル頭部とを乾燥させ、紫外線ライトが消毒し、紫外線ライトが消毒する時に細菌を完全に殺すことを保証し、普及価値がある。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の構成略図
【図２】図２は図１のＡ−Ａの断面構成略図
【図３】図３は図１のＢ−Ｂの断面構成略図
【図４】図４は回転盤の構成略図
【発明を実施するための形態】
【００１３】
図１〜４を参照し、本発明の小分けボトル消毒設備は、消毒箱１２を含み、前記消毒箱１２の中には洗浄チャンバ１３が設けられ、前記洗浄チャンバ１３の中にはボトル胴部５４とボトル頭部４１とが設けられ、前記洗浄チャンバ１３の中には前記ボトル胴部５４と前記ボトル頭部４１とを洗浄する洗浄機構７０も設けられ、前記洗浄機構７０の下方には前記ボトル胴部５４を回転連動させる回転機構８０が設けられ、前記回転機構８０の中には廃水チャンバ２４が設けられ、前記廃水チャンバ２４の底壁には固定台２１が固定的に取り付けられ、前記固定台２１の頂壁の中にはモーター２３が固定的に取り付けられ、前記回転機構８０の左右両側には濾過機構９０が設けられ、前記濾過機構９０は濾過箱１７を含み、前記濾過箱１７の中には濾過チャンバ１８が設けられ、前記洗浄機構７０の上方には乾燥消毒機構１００が設けられ、前記乾燥消毒機構１００の中には消毒ブロック５８と乾燥チャンバ３０とが設けられ、前記消毒ブロック５８の中には消毒チャンバ６０が設けられ、前記乾燥チャンバ３０の中には電熱線３１が設けられる。
【００１４】
有益的には、前記洗浄機構７０は前記洗浄チャンバ１３の頂壁に固定的に取り付けられた固定板３５を含み、前記洗浄チャンバ１３の頂壁のうち前記固定板３５の右側に位置するところには移動ブロック４９が固定的に取り付けられ、前記固定板３５と前記移動ブロック４９との間にはスライドブロック４２がスライドできるように取り付けられ、前記スライドブロック４２の中には上方に開口したスライドチャンバ４３が設けられ、前記スライドチャンバ４３の中には位置制限ブロック５１がスライドできるように取り付けられ、前記位置制限ブロック５１の頂部端面と前記洗浄チャンバ１３の頂壁とが固定的に連結され、前記位置制限ブロック５１の底部端面と前記スライドチャンバ４３の底壁との間には第一バネ４４が固定的に取り付けられ、前記移動ブロック４９の中にはねじ山チャンバ３２が設けられ、前記ねじ山チャンバ３２の底壁の中には前記消毒箱１２の頂部端面を貫通しているねじロッド３３が回転できるように取り付けられ、前記ねじロッド３３の頂部端面にはノブ３４が固定的に取り付けられ、前記ねじロッド３３にはねじ山ブロック５０がねじ山によって取り付けられ、前記ねじ山ブロック５０と前記スライドブロック４２とが固定的に連結され、前記消毒箱１２の頂部端面には水箱１１が固定的に取り付けられ、前記水箱１１の右側にはウォーターポンプ３８が設けられ、前記ウォーターポンプ３８と前記水箱１１との間には水吸出し管３９が固定的に連結され、前記ウォーターポンプ３８の右側端面には送水管３６が固定的に取り付けられ、前記位置制限ブロック５１の中には前記消毒箱１２の頂部端面を貫通している流入孔５２が設けられ、前記送水管３６と前記流入孔５２とが連結され、前記送水管３６には前記洗浄チャンバ１３の頂壁を貫通している連結管３７が固定的に取り付けられ、前記連結管３７の底部端面には第一ノズル４０が固定的に取り付けられ、前記スライドブロック４２の底部端面には伸び板５３が固定的に取り付けられ、前記伸び板５３の底部端面には第二ノズル５６が固定的に取り付けられ、前記伸び板５３には刷毛５５が固定的に取り付けられ、前記ボトル胴部５４の中には上方に開口したボトルチャンバ４６が設けられ、前記スライドチャンバ４３の底壁と前記第二ノズル５６との間には流出孔４５が設けられ、前記洗浄チャンバ１３の前側内壁の中にはドア６１がヒンジによって取り付けられ、前記ドア６１の前側端面には引きブロック６２が固定的に取り付けられ、これによりノブ３４を回転させ、ねじロッド３３を回転連動させ、ねじ山ブロック５０を上下に移動させ、スライドブロック４２を上下に移動連動させ、伸び板５３の高度位置を調整し、ウォーターポンプ３８が始動し、水吸出し管３９により水箱１１から水を吸出し、水が送水管３６と連結管３７とにより第一ノズル４０と第二ノズル５６とに流れ、第一ノズル４０と第二ノズル５６とが水を吹き出す。
【００１５】
有益的には、前記回転機構８０は前記モーター２３の上向きの出力軸の頂部端面に固定的に取り付けられたモーターロッド２２を含み、前記モーターロッド２２の頂部端面には回転盤１５が固定的に取り付けられ、前記回転盤１５が前記消毒箱１２の中に回転できるように取り付けられ、前記回転盤１５の左右両側には抜き穴１４が設けられ、前記回転盤１５の中には上方に開口した固定チャンバ４８が設けられ、前記固定チャンバ４８の中には引っ掛かり溝２７が左右に対称的に設けられ、前記引っ掛かり溝２７の中には引っ掛かりブロック２９がスライドできるように取り付けられ、前記引っ掛かりブロック２９と前記引っ掛かり溝２７との間には第二バネ２８が固定的に取り付けられ、これによりボトル胴部５４を固定チャンバ４８の中に置き、引っ掛かりブロック２９により固定し、モーター２３が始動し、モーターロッド２２を回転連動させ、モーターロッド２２が回転して回転盤１５を回転連動させ、回転盤１５が回転してボトル胴部５４を回転連動させる。
【００１６】
有益的には、前記濾過機構９０は前記濾過チャンバ１８の中に固定的に取り付けられたフィルター２５を含み、前記濾過箱１７が前記固定台２１の左右両側に固定的に取り付けられ、前記濾過チャンバ１８と前記廃水チャンバ２４との間には入口２６が設けられ、前記廃水チャンバ２４の中には排出孔２０が左右に対称的に設けられ、前記濾過チャンバ１８と前記排出孔２０との間には出口１９が設けられ、これにより洗浄後の廃水が抜き穴１４と入口２６とを経由して濾過チャンバ１８に入り、フィルター２５により濾過された後、出口１９を経由して排出孔２０から排出される。
【００１７】
有益的には、前記乾燥消毒機構１００は前記消毒チャンバ６０の中に固定的に取り付けられた紫外線ライト５９を含み、前記消毒ブロック５８が前記洗浄チャンバ１３の右側内壁に固定的に取り付けられ、前記乾燥チャンバ３０が前記洗浄チャンバ１３の頂壁の中に設けられ、前記電熱線３１が前記乾燥チャンバ３０の中に固定的に取り付けられ、前記乾燥チャンバ３０の底壁には伝熱板５７が固定的に取り付けられ、これにより洗浄後、紫外線ライト５９がボトル胴部５４とボトル頭部４１とを消毒し、電熱線３１がボトル胴部５４とボトル頭部４１とを乾燥させる。
【００１８】
使用する時、ノブ３４を回転させ、ねじロッド３３を回転連動させ、ねじ山ブロック５０を上下に移動させ、スライドブロック４２を上下に移動連動させ、伸び板５３の高度位置を調整し、ボトル胴部５４を固定チャンバ４８の中に置き、引っ掛かりブロック２９により固定し、モーター２３が始動し、モーターロッド２２を回転連動させ、モーターロッド２２が回転して回転盤１５を回転連動させ、回転盤１５が回転してボトル胴部５４を回転連動させ、ウォーターポンプ３８が始動し、水吸出し管３９により水箱１１から水を吸出し、水が送水管３６と連結管３７とにより第一ノズル４０と第二ノズル５６とに流れ、第一ノズル４０と第二ノズル５６とが水を吹き出し、刷毛５５がボトル胴部５４の内壁を洗い、洗浄完了後、洗浄後の廃水が抜き穴１４と入口２６とを経由して濾過チャンバ１８に入り、フィルター２５により濾過された後、出口１９を経由して排出孔２０から排出され、紫外線ライト５９がボトル胴部５４とボトル頭部４１とを消毒し、電熱線３１がボトル胴部５４とボトル頭部４１とを乾燥させる。
【００１９】
本発明の有益効果は：本発明は構造が簡単で、操作が便利であり、引きブロックを引き動かしてドアを開け、ボトル胴部を固定チャンバの中に固定し、回転機構が動力を提供しボトル胴部を回転連動させ、刷毛がボトル胴部の内壁を洗い、ボトル胴部の中がきれいに洗浄されることを保証し、濾過機構フィルターが洗浄後の廃水を濾過し、汚染物の直接排出量を減少し、環境への汚染を減少し、電熱線がボトル胴部とボトル頭部とを乾燥させ、紫外線ライトが消毒し、紫外線ライトが消毒する時に細菌を完全に殺すことを保証し、普及価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179385.tif 000003
【図２】
2020179385.tif 000004
【図３】
2020179385.tif 000005
【図４】
2020179385.tif 000006
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
正面視で、消毒箱を含み、前記消毒箱の中には洗浄チャンバが設けられ、前記洗浄チャンバの中にはボトル胴部とボトル頭部とが設けられ、前記洗浄チャンバの中には前記ボトル胴部と前記ボトル頭部とを洗浄する洗浄機構も設けられ、前記洗浄機構の下方には前記ボトル胴部を回転連動させる回転機構が設けられ、前記回転機構は前記消毒箱の底壁の中に設置された廃水チャンバを含み、前記廃水チャンバの底壁には固定台が固定的に取り付けられ、前記固定台の頂壁の中にはモーターが固定的に取り付けられ、前記回転機構の左右両側には濾過機構が設けられ、前記濾過機構は濾過箱を含み、前記濾過箱の中には濾過チャンバが設けられ、前記洗浄機構の上方には乾燥消毒機構が設けられ、前記乾燥消毒機構の中には消毒ブロックと乾燥チャンバとが設けられ、前記消毒ブロックの中には消毒チャンバが設けられ、前記乾燥チャンバの中には電熱線が設けられ、
前記洗浄機構は前記洗浄チャンバの頂壁に固定的に取り付けられた固定板を含み、前記洗浄チャンバの頂壁のうち前記固定板の右側に位置するところには移動ブロックが固定的に取り付けられ、前記固定板と前記移動ブロックとの間にはスライドブロックがスライドできるように取り付けられ、前記スライドブロックの中には上方に開口したスライドチャンバが設けられ、前記スライドチャンバの中には位置制限ブロックがスライドできるように取り付けられ、前記位置制限ブロックの頂部端面と前記洗浄チャンバの頂壁とが固定的に連結され、前記位置制限ブロックの底部端面と前記スライドチャンバの底壁との間には第一バネが固定的に取り付けられ、前記移動ブロックの中にはねじ山チャンバが設けられ、前記ねじ山チャンバの底壁の中には前記消毒箱の頂部端面を貫通しているねじロッドが回転できるように取り付けられ、前記ねじロッドの頂部端面にはノブが固定的に取り付けられ、前記ねじロッドにはねじ山ブロックがねじ山によって取り付けられ、前記ねじ山ブロックと前記スライドブロックとが固定的に連結され、前記消毒箱の頂部端面には水箱が固定的に取り付けられ、前記水箱の右側にはウォーターポンプが設けられ、前記ウォーターポンプと前記水箱との間には水吸出し管が固定的に連結され、前記ウォーターポンプの右側端面には送水管が固定的に取り付けられ、前記位置制限ブロックの中には前記消毒箱の頂部端面を貫通している流入孔が設けられ、前記送水管と前記流入孔とが連結され、前記送水管には前記洗浄チャンバの頂壁を貫通している連結管が固定的に取り付けられ、前記連結管の底部端面には第一ノズルが固定的に取り付けられ、前記スライドブロックの底部端面には伸び板が固定的に取り付けられ、前記伸び板の底部端面には第二ノズルが固定的に取り付けられ、前記伸び板には刷毛が固定的に取り付けられ、前記ボトル胴部の中には上方に開口したボトルチャンバが設けられ、前記スライドチャンバの底壁と前記第二ノズルとの間には流出孔が設けられ、前記洗浄チャンバの前側内壁の中にはドアがヒンジによって取り付けられ、前記ドアの前側端面には引きブロックが固定的に取り付けられ、
前記回転機構は前記モーターの上向きの出力軸の頂部端面に固定的に取り付けられたモーターロッドを含み、前記モーターロッドの頂部端面には回転盤が固定的に取り付けられ、前記回転盤が前記消毒箱の中に回転できるように取り付けられ、前記回転盤の左右両側には抜き穴が設けられ、前記回転盤の中には上方に開口した固定チャンバが設けられ、前記固定チャンバの中には引っ掛かり溝が左右に対称的に設けられ、前記引っ掛かり溝の中には引っ掛かりブロックがスライドできるように取り付けられ、前記引っ掛かりブロックと前記引っ掛かり溝との間には第二バネが固定的に取り付けられ、
前記濾過機構は前記濾過チャンバの中に固定的に取り付けられたフィルターを含み、前記濾過箱が前記固定台の左右両側に固定的に取り付けられ、前記濾過チャンバと前記廃水チャンバとの間には入口が設けられ、前記廃水チャンバの中には排出孔が左右に対称的に設けられ、前記濾過チャンバと前記排出孔との間には出口が設けられ、
前記乾燥消毒機構は前記消毒チャンバの中に固定的に取り付けられた紫外線ライトを含み、前記消毒ブロックが前記洗浄チャンバの右側内壁に固定的に取り付けられ、前記乾燥チャンバが前記洗浄チャンバの頂壁の中に設けられ、前記電熱線が前記乾燥チャンバの中に固定的に取り付けられ、前記乾燥チャンバの底壁には伝熱板が固定的に取り付けられ、
使用する時、ノブを回転させ、ねじロッドを回転連動させ、ねじ山ブロックを上下に移動させ、スライドブロックを上下に移動連動させ、伸び板の高度位置を調整し、ボトル胴部を固定チャンバの中に置き、引っ掛かりブロックにより固定し、モーターが始動し、モーターロッドを回転連動させ、モーターロッドが回転して回転盤を回転連動させ、回転盤が回転してボトル胴部を回転連動させ、ウォーターポンプが始動し、水吸出し管により水箱から水を吸出し、水が送水管と連結管とにより第一ノズルと第二ノズルとに流れ、第一ノズルと第二ノズルとが水を吹き出し、刷毛がボトル胴部の内壁を洗い、洗浄完了後、洗浄後の廃水が抜き穴と入口とを経由して濾過チャンバに入り、フィルターにより濾過された後、出口を経由して排出孔から排出され、紫外線ライトがボトル胴部とボトル頭部とを消毒し、電熱線がボトル胴部とボトル頭部とを乾燥させることを特徴とする小分けボトル消毒設備。
【手続補正２】
【補正対象書類名】明細書
【補正対象項目名】全文
【補正方法】変更
【補正の内容】
【発明の詳細な説明】
【技術分野】
【０００１】
本発明は小型消毒器技術分野を取り上げて、具体的には小分けボトル消毒設備である。
【背景技術】
【０００２】
小分けボトルの使用前の清潔を保証するため、使用後の小分けボトルを洗浄し消毒し、現有技術の中、一般的な小分けボトル消毒設備は洗浄する時、小分けボトルの中を洗っていなく、小分けボトルの中がきれいに洗浄されることを保証できなく、また乾燥機能が付いていなく、小分けボトルを消毒する時に細菌を完全に殺すことができなく、洗浄の時、洗浄後の水を処理していなく、環境を汚染し、従って、小分けボトルの中を洗い、また洗浄後の水を処理し、小分けボトルを乾燥させてから細菌を殺す小分けボトル消毒設備が必要とされる。
【先行技術文献】
【特許文献】
【０００３】
【特許文献１】中国特許出願公開第１０５６６５３９２号明細書
【発明の概要】
【発明が解決しようとする課題】
【０００４】
本発明の目的は小分けボトル消毒設備を提供し、それは上記の現在の技術中の問題を解決できる。
【課題を解決するための手段】
【０００５】
消毒箱を含み、前記消毒箱の中には洗浄チャンバが設けられ、前記洗浄チャンバの中にはボトル胴部とボトル頭部とが設けられ、前記洗浄チャンバの中には前記ボトル胴部と前記ボトル頭部とを洗浄する洗浄機構も設けられ、前記洗浄機構の下方には前記ボトル胴部を回転連動させる回転機構が設けられ、前記回転機構は前記消毒箱の底壁の中に設置された廃水チャンバを含み、前記廃水チャンバの底壁には固定台が固定的に取り付けられ、前記固定台の頂壁の中にはモーターが固定的に取り付けられ、前記回転機構の左右両側には濾過機構が設けられ、前記濾過機構は濾過箱を含み、前記濾過箱の中には濾過チャンバが設けられ、前記洗浄機構の上方には乾燥消毒機構が設けられ、前記乾燥消毒機構の中には消毒ブロックと乾燥チャンバとが設けられ、前記消毒ブロックの中には消毒チャンバが設けられ、前記乾燥チャンバの中には電熱線が設けられる。
【０００６】
更の技術プラン、前記洗浄機構は前記洗浄チャンバの頂壁に固定的に取り付けられた固定板を含み、前記洗浄チャンバの頂壁のうち前記固定板の右側に位置するところには移動ブロックが固定的に取り付けられ、前記固定板と前記移動ブロックとの間にはスライドブロックがスライドできるように取り付けられ、前記スライドブロックの中には上方に開口したスライドチャンバが設けられ、前記スライドチャンバの中には位置制限ブロックがスライドできるように取り付けられ、前記位置制限ブロックの頂部端面と前記洗浄チャンバの頂壁とが固定的に連結され、前記位置制限ブロックの底部端面と前記スライドチャンバの底壁との間には第一バネが固定的に取り付けられ、前記移動ブロックの中にはねじ山チャンバが設けられ、前記ねじ山チャンバの底壁の中には前記消毒箱の頂部端面を貫通しているねじロッドが回転できるように取り付けられ、前記ねじロッドの頂部端面にはノブが固定的に取り付けられ、前記ねじロッドにはねじ山ブロックがねじ山によって取り付けられ、前記ねじ山ブロックと前記スライドブロックとが固定的に連結され、前記消毒箱の頂部端面には水箱が固定的に取り付けられ、前記水箱の右側にはウォーターポンプが設けられ、前記ウォーターポンプと前記水箱との間には水吸出し管が固定的に連結され、前記ウォーターポンプの右側端面には送水管が固定的に取り付けられ、前記位置制限ブロックの中には前記消毒箱の頂部端面を貫通している流入孔が設けられ、前記送水管と前記流入孔とが連結され、前記送水管には前記洗浄チャンバの頂壁を貫通している連結管が固定的に取り付けられ、前記連結管の底部端面には第一ノズルが固定的に取り付けられ、前記スライドブロックの底部端面には伸び板が固定的に取り付けられ、前記伸び板の底部端面には第二ノズルが固定的に取り付けられ、前記伸び板には刷毛が固定的に取り付けられ、前記ボトル胴部の中には上方に開口したボトルチャンバが設けられ、前記スライドチャンバの底壁と前記第二ノズルとの間には流出孔が設けられ、前記洗浄チャンバの前側内壁の中にはドアがヒンジによって取り付けられ、前記ドアの前側端面には引きブロックが固定的に取り付けられる。
【０００７】
更の技術プラン、前記回転機構は前記モーターの上向きの出力軸の頂部端面に固定的に取り付けられたモーターロッドを含み、前記モーターロッドの頂部端面には回転盤が固定的に取り付けられ、前記回転盤が前記消毒箱の中に回転できるように取り付けられ、前記回転盤の左右両側には抜き穴が設けられ、前記回転盤の中には上方に開口した固定チャンバが設けられ、前記固定チャンバの中には引っ掛かり溝が左右に対称的に設けられ、前記引っ掛かり溝の中には引っ掛かりブロックがスライドできるように取り付けられ、前記引っ掛かりブロックと前記引っ掛かり溝との間には第二バネが固定的に取り付けられる。
【０００８】
更の技術プラン、前記濾過機構は前記濾過チャンバの中に固定的に取り付けられたフィルターを含み、前記濾過箱が前記固定台の左右両側に固定的に取り付けられ、前記濾過チャンバと前記廃水チャンバとの間には入口が設けられ、前記廃水チャンバの中には排出孔が左右に対称的に設けられ、前記濾過チャンバと前記排出孔との間には出口が設けられる。
【０００９】
更の技術プラン、前記乾燥消毒機構は前記消毒チャンバの中に固定的に取り付けられた紫外線ライトを含み、前記消毒ブロックが前記洗浄チャンバの右側内壁に固定的に取り付けられ、前記乾燥チャンバが前記洗浄チャンバの頂壁の中に設けられ、前記電熱線が前記乾燥チャンバの中に固定的に取り付けられ、前記乾燥チャンバの底壁には伝熱板が固定的に取り付けられる。
【発明の効果】
【００１０】
本発明は構造が簡単で、操作が便利であり、引きブロックを引き動かしてドアを開け、ボトル胴部を固定チャンバの中に固定し、回転機構が動力を提供しボトル胴部を回転連動させ、刷毛がボトル胴部の内壁を洗い、ボトル胴部の中がきれいに洗浄されることを保証し、濾過機構フィルターが洗浄後の廃水を濾過し、汚染物の直接排出量を減少し、環境への汚染を減少し、電熱線がボトル胴部とボトル頭部とを乾燥させ、紫外線ライトが消毒し、紫外線ライトが消毒する時に細菌を完全に殺すことを保証し、普及価値がある。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の構成略図
【図２】図２は図１のＡ−Ａの断面構成略図
【図３】図３は図１のＢ−Ｂの断面構成略図
【図４】図４は回転盤の構成略図
【発明を実施するための形態】
【００１３】
図１〜４を参照し、本発明の小分けボトル消毒設備は、消毒箱１２を含み、前記消毒箱１２の中には洗浄チャンバ１３が設けられ、前記洗浄チャンバ１３の中にはボトル胴部５４とボトル頭部４１とが設けられ、前記洗浄チャンバ１３の中には前記ボトル胴部５４と前記ボトル頭部４１とを洗浄する洗浄機構７０も設けられ、前記洗浄機構７０の下方には前記ボトル胴部５４を回転連動させる回転機構８０が設けられ、前記回転機構８０は前記消毒箱１２の底壁の中に設置された廃水チャンバ２４を含み、前記廃水チャンバ２４の底壁には固定台２１が固定的に取り付けられ、前記固定台２１の頂壁の中にはモーター２３が固定的に取り付けられ、前記回転機構８０の左右両側には濾過機構９０が設けられ、前記濾過機構９０は濾過箱１７を含み、前記濾過箱１７の中には濾過チャンバ１８が設けられ、前記洗浄機構７０の上方には乾燥消毒機構１００が設けられ、前記乾燥消毒機構１００の中には消毒ブロック５８と乾燥チャンバ３０とが設けられ、前記消毒ブロック５８の中には消毒チャンバ６０が設けられ、前記乾燥チャンバ３０の中には電熱線３１が設けられる。
【００１４】
有益的には、前記洗浄機構７０は前記洗浄チャンバ１３の頂壁に固定的に取り付けられた固定板３５を含み、前記洗浄チャンバ１３の頂壁のうち前記固定板３５の右側に位置するところには移動ブロック４９が固定的に取り付けられ、前記固定板３５と前記移動ブロック４９との間にはスライドブロック４２がスライドできるように取り付けられ、前記スライドブロック４２の中には上方に開口したスライドチャンバ４３が設けられ、前記スライドチャンバ４３の中には位置制限ブロック５１がスライドできるように取り付けられ、前記位置制限ブロック５１の頂部端面と前記洗浄チャンバ１３の頂壁とが固定的に連結され、前記位置制限ブロック５１の底部端面と前記スライドチャンバ４３の底壁との間には第一バネ４４が固定的に取り付けられ、前記移動ブロック４９の中にはねじ山チャンバ３２が設けられ、前記ねじ山チャンバ３２の底壁の中には前記消毒箱１２の頂部端面を貫通しているねじロッド３３が回転できるように取り付けられ、前記ねじロッド３３の頂部端面にはノブ３４が固定的に取り付けられ、前記ねじロッド３３にはねじ山ブロック５０がねじ山によって取り付けられ、前記ねじ山ブロック５０と前記スライドブロック４２とが固定的に連結され、前記消毒箱１２の頂部端面には水箱１１が固定的に取り付けられ、前記水箱１１の右側にはウォーターポンプ３８が設けられ、前記ウォーターポンプ３８と前記水箱１１との間には水吸出し管３９が固定的に連結され、前記ウォーターポンプ３８の右側端面には送水管３６が固定的に取り付けられ、前記位置制限ブロック５１の中には前記消毒箱１２の頂部端面を貫通している流入孔５２が設けられ、前記送水管３６と前記流入孔５２とが連結され、前記送水管３６には前記洗浄チャンバ１３の頂壁を貫通している連結管３７が固定的に取り付けられ、前記連結管３７の底部端面には第一ノズル４０が固定的に取り付けられ、前記スライドブロック４２の底部端面には伸び板５３が固定的に取り付けられ、前記伸び板５３の底部端面には第二ノズル５６が固定的に取り付けられ、前記伸び板５３には刷毛５５が固定的に取り付けられ、前記ボトル胴部５４の中には上方に開口したボトルチャンバ４６が設けられ、前記スライドチャンバ４３の底壁と前記第二ノズル５６との間には流出孔４５が設けられ、前記洗浄チャンバ１３の前側内壁の中にはドア６１がヒンジによって取り付けられ、前記ドア６１の前側端面には引きブロック６２が固定的に取り付けられ、これによりノブ３４を回転させ、ねじロッド３３を回転連動させ、ねじ山ブロック５０を上下に移動させ、スライドブロック４２を上下に移動連動させ、伸び板５３の高度位置を調整し、ウォーターポンプ３８が始動し、水吸出し管３９により水箱１１から水を吸出し、水が送水管３６と連結管３７とにより第一ノズル４０と第二ノズル５６とに流れ、第一ノズル４０と第二ノズル５６とが水を吹き出す。
【００１５】
有益的には、前記回転機構８０は前記モーター２３の上向きの出力軸の頂部端面に固定的に取り付けられたモーターロッド２２を含み、前記モーターロッド２２の頂部端面には回転盤１５が固定的に取り付けられ、前記回転盤１５が前記消毒箱１２の中に回転できるように取り付けられ、前記回転盤１５の左右両側には抜き穴１４が設けられ、前記回転盤１５の中には上方に開口した固定チャンバ４８が設けられ、前記固定チャンバ４８の中には引っ掛かり溝２７が左右に対称的に設けられ、前記引っ掛かり溝２７の中には引っ掛かりブロック２９がスライドできるように取り付けられ、前記引っ掛かりブロック２９と前記引っ掛かり溝２７との間には第二バネ２８が固定的に取り付けられ、これによりボトル胴部５４を固定チャンバ４８の中に置き、引っ掛かりブロック２９により固定し、モーター２３が始動し、モーターロッド２２を回転連動させ、モーターロッド２２が回転して回転盤１５を回転連動させ、回転盤１５が回転してボトル胴部５４を回転連動させる。
【００１６】
有益的には、前記濾過機構９０は前記濾過チャンバ１８の中に固定的に取り付けられたフィルター２５を含み、前記濾過箱１７が前記固定台２１の左右両側に固定的に取り付けられ、前記濾過チャンバ１８と前記廃水チャンバ２４との間には入口２６が設けられ、前記廃水チャンバ２４の中には排出孔２０が左右に対称的に設けられ、前記濾過チャンバ１８と前記排出孔２０との間には出口１９が設けられ、これにより洗浄後の廃水が抜き穴１４と入口２６とを経由して濾過チャンバ１８に入り、フィルター２５により濾過された後、出口１９を経由して排出孔２０から排出される。
【００１７】
有益的には、前記乾燥消毒機構１００は前記消毒チャンバ６０の中に固定的に取り付けられた紫外線ライト５９を含み、前記消毒ブロック５８が前記洗浄チャンバ１３の右側内壁に固定的に取り付けられ、前記乾燥チャンバ３０が前記洗浄チャンバ１３の頂壁の中に設けられ、前記電熱線３１が前記乾燥チャンバ３０の中に固定的に取り付けられ、前記乾燥チャンバ３０の底壁には伝熱板５７が固定的に取り付けられ、これにより洗浄後、紫外線ライト５９がボトル胴部５４とボトル頭部４１とを消毒し、電熱線３１がボトル胴部５４とボトル頭部４１とを乾燥させる。
【００１８】
使用する時、ノブ３４を回転させ、ねじロッド３３を回転連動させ、ねじ山ブロック５０を上下に移動させ、スライドブロック４２を上下に移動連動させ、伸び板５３の高度位置を調整し、ボトル胴部５４を固定チャンバ４８の中に置き、引っ掛かりブロック２９により固定し、モーター２３が始動し、モーターロッド２２を回転連動させ、モーターロッド２２が回転して回転盤１５を回転連動させ、回転盤１５が回転してボトル胴部５４を回転連動させ、ウォーターポンプ３８が始動し、水吸出し管３９により水箱１１から水を吸出し、水が送水管３６と連結管３７とにより第一ノズル４０と第二ノズル５６とに流れ、第一ノズル４０と第二ノズル５６とが水を吹き出し、刷毛５５がボトル胴部５４の内壁を洗い、洗浄完了後、洗浄後の廃水が抜き穴１４と入口２６とを経由して濾過チャンバ１８に入り、フィルター２５により濾過された後、出口１９を経由して排出孔２０から排出され、紫外線ライト５９がボトル胴部５４とボトル頭部４１とを消毒し、電熱線３１がボトル胴部５４とボトル頭部４１とを乾燥させる。
【００１９】
本発明の有益効果は：本発明は構造が簡単で、操作が便利であり、引きブロックを引き動かしてドアを開け、ボトル胴部を固定チャンバの中に固定し、回転機構が動力を提供しボトル胴部を回転連動させ、刷毛がボトル胴部の内壁を洗い、ボトル胴部の中がきれいに洗浄されることを保証し、濾過機構フィルターが洗浄後の廃水を濾過し、汚染物の直接排出量を減少し、環境への汚染を減少し、電熱線がボトル胴部とボトル頭部とを乾燥させ、紫外線ライトが消毒し、紫外線ライトが消毒する時に細菌を完全に殺すことを保証し、普及価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。